(57)【要約】  爆発物用の試験をするためのテスターは、本体、その本体へ操作可能に接続された側方の流動のスワブユニット、その本体に含有された爆発物を検出する試薬、並びに、その本体及びその側方の流動のスワブユニットへ操作可能に接続されたディスペンサーを含むものである。そのディスペンサーは、その爆発物を検出する試薬が、その側方の流動のスワブユニットへ届けられることを、選択的に可能にする。
2008521019.tif 000002
【特許請求の範囲】
【請求項１】
本体、
該本体へ操作可能に接続された側方の流動のスワブユニット、
該本体に含有された爆発物を検出する試薬、並びに、
該本体及び該側方の流動のスワブユニットへ操作可能に接続されたディスペンサー
：を含む、爆発物用の試験をするための装置であって、
該ディスペンサーは、該爆発物を検出する試薬が、該側方の流動のスワブユニットへ届けられることを選択的に可能にする、爆発物用の試験をするための装置。
【請求項２】
前記側方の流動のスワブユニットは、微孔性の膜のスワブユニットを含む、請求項１に記載の爆発物用の試験をするための装置。
【請求項３】
前記側方の流動のスワブユニットは、ポリエチレンの球体が溶融された膜のスワブユニットを含む、請求項１に記載の爆発物用の試験をするための装置。
【請求項４】
前記側方の流動のスワブユニットは、微孔性のセルロースの膜のスワブユニットを含む、請求項１に記載の爆発物用の試験をするための装置。
【請求項５】
前記側方の流動のスワブユニットは、微孔性の硝酸セルロースの膜のスワブユニットを含む、請求項１に記載の爆発物用の試験をするための装置。
【請求項６】
前記側方の流動のスワブユニットは、微孔性の膜の材料で作られた栓を含む、請求項１に記載の爆発物用の試験をするための装置。
【請求項７】
前記側方の流動のスワブユニットは、微孔性の膜の材料で作られた円柱形の栓を含む、請求項１に記載の爆発物用の試験をするための装置。
【請求項８】
前記本体は、可撓性の材料で作られると共に前記ディスペンサーは、可撓性の材料で作られた前記本体内にある、請求項１に記載の爆発物用の試験をするための装置。
【請求項９】
前記本体は、可撓性の材料で作られると共に前記ディスペンサーは、可撓性の材料で作られた前記本体内にある、請求項１に記載の爆発物用の試験をするための装置。
【請求項１０】
前記本体は、可撓性の材料で作られると共に前記ディスペンサーは、可撓性の材料で作られた前記本体内の破壊可能なユニットである、請求項１に記載の爆発物用の試験をするための装置。
【請求項１１】
前記本体は、可撓性の材料で作られると共に前記ディスペンサーは、可撓性の材料で作られた前記本体内の破壊可能なコンテナである、請求項１に記載の爆発物用の試験をするための装置。
【請求項１２】
前記本体は、可撓性の材料で作られると共に前記ディスペンサーは、可撓性の材料で作られた前記本体内のバルブである、請求項１に記載の爆発物用の試験をするための装置。
【請求項１３】
前記本体は、可撓性の材料で作られると共に前記ディスペンサーは、可撓性の材料で作られた前記本体内の破壊可能なバルブである、請求項１に記載の爆発物用の試験をするための装置。
【請求項１４】
前記ディスペンサーは、破壊可能なアンプルを含む、請求項１に記載の爆発物用の試験をするための装置。
【請求項１５】
前記ディスペンサーは、破壊可能なガラスアンプルを含む、請求項１に記載の爆発物用の試験をするための装置。
【請求項１６】
前記本体は、スクイーズ性のアンプルを含む、請求項１に記載の爆発物用の試験をするための装置。
【請求項１７】
前記本体は、スクイーズ性のアンプルを含むと共に前記ディスペンサーは、前記スクイーズ性のアンプル内に破壊可能なアンプルを含む、請求項１に記載の爆発物用の試験をするための装置。
【請求項１８】
前記爆発物を検出する試薬は、Ｍｅｉｓｅｎｈｅｉｍｅｒ錯体を含む、請求項１に記載の爆発物用の試験をするための装置。
【請求項１９】
前記爆発物を検出する試薬は、Ｇｒｉｅｓｓ試薬を含む、請求項１に記載の爆発物用の試験をするための装置。
【請求項２０】
前記爆発物を検出する試薬は、Ｎｅｓｓｌｅｒの試薬を含む、請求項１に記載の爆発物用の試験をするための装置。
【請求項２１】
前記爆発物を検出する試薬は、チモール試薬を含む、請求項１に記載の爆発物用の試験をするための装置。
【請求項２２】
前記爆発物を検出する試薬は、ジフェニルアミン／Ｈ２ＳＯ４を含む、請求項１に記載の爆発物用の試験をするための装置。
【請求項２３】
前記爆発物を検出する試薬は、ＥｔＯＨにおいてテトラ−ｎ−ブチルアンモニウム＝ヒドロキシド又はＫＯＨを含む、請求項１に記載の爆発物用の試験をするための装置。
【請求項２４】
爆発物用の試験をするための装置であって、
本体、
該本体へ操作可能に接続された側方の流動のスワブユニット、
該本体に含有された爆発物を検出する試薬、並びに、
前記爆発物を検出する試薬が前記側方の流動のスワブユニットへ届けられることを選択的に可能にするためのディスペンサー手段
：を含む、爆発物用の試験をするための装置。
【請求項２５】
前記ディスペンサー手段は、破壊可能なアンプルを含む、請求項２４に記載の爆発物用の試験をするための装置。
【請求項２６】
前記ディスペンサー手段は、バルブを含む、請求項２４に記載の爆発物用の試験をするための装置。
【請求項２７】
爆発物用の不審な表面を試験するための方法であって、
側方の流動のスワブユニットを提供すること、
爆発物を検出する試薬を提供すること、
該爆発物を検出する試薬を該側方の流動のスワブユニットへ届けること、及び
該側方の流動のスワブユニットで不審な表面をスワイプすること
：のステップを含むと共に、
該側方の流動のスワブユニットが、着色されたものになるとすれば、該試験は、爆発物に陽性のものである、方法。
【発明の詳細な説明】
【技術分野】
【０００１】
本発明は、爆発物に、及び、より詳しくは、爆発物の存在について試験することに、関係する。
【背景技術】
【０００２】
Ｈｅｒｂｅｒｔ  Ｏ．Ｆｕｎｓｔｅｎ及びＤａｖｉｄ  Ｊ．ＭｃＣｏｍａｓへ１９９７年６月１０日に発行された、及び、Ｒｅａｇｅｎｔｓ  ｏｆ  Ｕｎｉｖｅｒｓｉｔｙ  ｏｆ  Ｃａｌｉｆｏｒｎｉａへ譲渡された、それの爆燃の識別特性からの爆発物の残留物の急速な検出用の装置及び方法についての米国特許第５，６３８，１６６号明細書（特許文献１）は、技術情報の下記の状態、“爆発物は、車、旅行荷物、及び手紙の爆弾のようなテロリストのデバイスのみならず、核の、生物学的な、化学的な、及び従来の兵器のコアの構成部品である”を提供する。爆発物の存在を検出するための現行の方法は、蒸気の検出、バルクの検出、及びタギングを含む。しかしながら、これらの方法は、検出される識別特性の本性に依存する顕著な困難性を有する。Ｆｅｔｔｅｒｏｌｆ  ｅｔ  ａｌ．，Ｐｏｒｔａｂｌｅ  Ｉｎｓｔｒｕｍｅｎｔａｔｉｏｎ：Ｎｅｗ  Ｗｅａｐｏｎｓ  ｉｎ  ｔｈｅ  Ｗａｒ  Ａｇａｉｎｓｔ  Ｄｒｕｇｓ  ａｎｄ  Ｔｅｒｒｏｒｉｓｍ，Ｐｒｏｃ．ＳＰＩＥ  ２０９２（１９９３）４０（非特許文献１）、Ｙｉｎｏｎ  ａｎｄ  Ｚｉｔｒｉｎ，ｉｎ  Ｍｏｄｅｒｎ  Ｍｅｔｈｏｄｓ  ａｎｄ  Ａｐｐｌｉｃａｔｉｏｎｓ  ｉｎ  Ａｎａｌｙｓｉｓ  ｏｆ  Ｅｘｐｌｏｓｉｏｎｓ，（Ｗｉｌｅｙ，ＮｅｗＹｏｒｋ，１９９３）  Ｃｈａｐ．６（非特許文献２）；及びそれらにおける参考文献を参照のこと。蒸気の検出は、例として、訓練された動物、ガスクロマトグラフィー、イオン移動度質量分析法、及び、生物発光を使用することで、達成される。これらの技術の全ては、大部分の爆発物の固有に低い蒸気圧を欠点としてもつ。爆発物のバルクの検出は、それら爆発物それら自体を検出することができないＸ線イメージングを使用することで、行われることもあるが、しかしむしろ、金属性のデバイスの構成部品を検出する。バルクの検出のための別の方法は、それら爆発物における窒素原子を活性化するためのエネルギー性のＸ線を使用すること、それによって、検出される陽電子を発生させること、を伴う。この技術は、Ｘ線発生器及び最小で数百グラムの爆発物を要求する。バルクの検出は、中性子の源及びガンマ放射検出器を要求する熱中性子の活性化を使用することでもまた、成し遂げられる。このように、バルクの検出は、僅少の量の爆発物に敏感なものではないと共に、大きい、高価な計器装備を要求する。タギングは、全ての爆発物が、例えば、簡単に検出された蒸気で標識付けされることを要求する。しかしながら、タギングが、米国においては、義務的なものではないので、この手順は、明りょうに、信頼性のあるものではない。正確な、実時間（＜６秒）の検出及び現場での僅少な爆発物の分析を行うための技術がないことが、判明する。訓練された犬のみが、この目標を達成することができる。
【０００３】
（例えば、貯蔵、取り扱い、又はデバイスの製作の間における）爆発物との接触にある表面が、それらの固有の粘着性の結果として、容易に、爆発物の微粒子で汚染されたものになることになることは、知られたものである。この現象は、数回の洗浄の後でさえも、手における爆発物の大きい残留性を示す研究において例証される（Ｊ．Ｄ．Ｔｗｉｂｅｌｌ  ｅｔ  ａｌ．，“Ｔｒａｎｓｆｅｒ  ｏｆ  Ｎｉｔｒｏｇｌｙｃｅｒｉｎｅ  ｔｏ  Ｈａｎｄｓ  Ｄｕｒｉｎｇ  Ｃｏｎｔａｃｔ  ｗｉｔｈ  Ｃｏｍｍｅｒｃｉａｌ  Ｅｘｐｌｏｓｉｖｅｓ”，Ｊ．Ｆｏｒｅｎｓｉｃ  Ｓｃｉｅｎｃｅ  ２７（１９８２）７８３（非特許文献３）；Ｊ．Ｄ．Ｔｗｉｂｅｌｌ  ｅｔ  ａｌ．，“Ｔｈｅ  Ｐｅｒｓｉｓｔｅｎｃｅ  ｏｆ  Ｍｉｌｉｔａｒｙ  Ｅｘｐｌｏｓｉｖｅｓ  ｏｎ  Ｈａｎｄｓ，”Ｊ．Ｆｏｒｅｎｓｉｃ  Ｓｃｉｅｎｃｅ  ２９（１９８４）２８４（非特許文献４））。さらには、二次的な表面が、汚染された一次的な表面との接触によって、汚染される、交差汚染は、また容易に起こり得る。例えば、測定可能な量の硝酸アンモニウム（ＡＮ）の残留物は、レンタルトラックについてのリースの文献に見出されてきたものであると共に、顕著な量の爆発物ＰＥＴＮ（ペンタエリスリトール＝テトラナイトラート）及び／又はＡＮは、二つの良く公表された爆撃において、衣類に及び不審の車両の内側に見出されてきたものである。従って、爆発物の残留物は、おそらく、その爆発物のデバイスを築く際に伴われた個体のみならず、爆発物のパッケージング及び近郊に大量に存続することになるが、それは、爆発物の存在の検出のための道を提供することができる。
【０００４】
１９９７年１０月２日にＤａｒｙｌ  Ｓｕｎｎｙ  Ｍｉｌｅａｆ及びＮｏｅ  ＥｓａｕＲｏｄｒｉｑｕｅｚ，ＩＩへ発行された化学的な検出用の方法についての米国特許第５，６７９，５８４号明細書（特許文献２）は、技術情報の下記の状態、“ターゲットの物質を検出するための方法であって、物質の試料を収集すること；その物質の試料を、そのターゲットの物質の存在に応じた少なくとも一つの予め選択された試薬を有すると共に光透過性のチャンバーを有する物質のカードへ導入すること；及び、その物質のカードを、光センサーを有すると共にその物質のカードを受容するために適合させられた物質の検出器のデバイスへ挿入することを含む、方法”を提供する。一度、その物質の検出器のカードが、その物質の検出器へ挿入されてしまってあると、その方法は、その物質の試料を予め選択された混合する期間にその予め選択された試薬と混合することによって、連続すると共に、このように、ターゲットの物質の反応を有する測定量を生じさせる。
【０００５】
２００２年１０月２９日にＲｏｂｅｒｔ  Ｔ．Ｃｈａｍｂｅｒｌａｉｎへ発行された且つ運輸大臣に代表されるような米国へ譲渡された爆発物の試験の試料の調製のための乾燥移転方法についての米国特許第６，４７０，７３０号明細書（特許文献３）は、技術情報の下記の状態、“空気中の粒子について調査するタイプの爆発物の及び薬剤の検出器を試験するための試料を調製する方法、関心のある物質を含有する液体が、可撓性のテフロン（登録商標）の表面に置かれると共に乾燥することが許容される、そして、そのテフロン（登録商標）の表面は、関心のある物質の存在について試験されるものであるアイテムへ摩擦される。関心のある物質の粒子は、そのアイテムへ移転させられるが、しかし、空気の流れ又は他の試料採取するデバイスによって、容易に取り上げられると共にその検出器へ運ばれる”を提供する。
【特許文献１】米国特許第５，６３８，１６６号明細書
【特許文献２】米国特許第５，６７９，５８４号明細書
【特許文献３】米国特許第６，４７０，７３０号明細書
【非特許文献１】Ｆｅｔｔｅｒｏｌｆ  ｅｔ  ａｌ．，Ｐｏｒｔａｂｌｅ  Ｉｎｓｔｒｕｍｅｎｔａｔｉｏｎ：Ｎｅｗ  Ｗｅａｐｏｎｓ  ｉｎ  ｔｈｅ  Ｗａｒ  Ａｇａｉｎｓｔ  Ｄｒｕｇｓ  ａｎｄ  Ｔｅｒｒｏｒｉｓｍ，Ｐｒｏｃ．ＳＰＩＥ  ２０９２（１９９３）４０
【非特許文献２】Ｙｉｎｏｎ  ａｎｄ  Ｚｉｔｒｉｎ，ｉｎ  Ｍｏｄｅｒｎ  Ｍｅｔｈｏｄｓ  ａｎｄ  Ａｐｐｌｉｃａｔｉｏｎｓ  ｉｎ  Ａｎａｌｙｓｉｓ  ｏｆ  Ｅｘｐｌｏｓｉｏｎｓ，（Ｗｉｌｅｙ，ＮｅｗＹｏｒｋ，１９９３）  Ｃｈａｐ．６
【非特許文献３】Ｊ．Ｄ．Ｔｗｉｂｅｌｌ  ｅｔ  ａｌ．，“Ｔｒａｎｓｆｅｒ  ｏｆ  Ｎｉｔｒｏｇｌｙｃｅｒｉｎｅ  ｔｏ  Ｈａｎｄｓ  Ｄｕｒｉｎｇ  Ｃｏｎｔａｃｔ  ｗｉｔｈ  Ｃｏｍｍｅｒｃｉａｌ  Ｅｘｐｌｏｓｉｖｅｓ”，Ｊ．Ｆｏｒｅｎｓｉｃ  Ｓｃｉｅｎｃｅ  ２７（１９８２）７８３
【非特許文献４】Ｊ．Ｄ．Ｔｗｉｂｅｌｌ  ｅｔ  ａｌ．，“Ｔｈｅ  Ｐｅｒｓｉｓｔｅｎｃｅ  ｏｆ  Ｍｉｌｉｔａｒｙ  Ｅｘｐｌｏｓｉｖｅｓ  ｏｎ  Ｈａｎｄｓ，”Ｊ．Ｆｏｒｅｎｓｉｃ  Ｓｃｉｅｎｃｅ  ２９（１９８４）２８４
【発明の開示】
【課題を解決するための手段】
【０００６】
本発明の特徴及び利点は、後に続く記載から明らかなものになると思われる。出願人は、この記載を提供しているが、それは、本発明の広い表現を与えるために、図面及び具体的な実施形態の例を含む。本発明の主旨及び範囲内の様々な変化及び変更は、この記載から、及び、本発明の実践によって、当業者に明らかになると思われる。本発明の範囲は、開示された特定の形態へ限定されることが、意図されたものではないと共に、本発明は、特許請求の範囲によって定義されたように、本発明の主旨及び範囲内に属する全ての変更、均等物、及び代替物をカバーする。
【０００７】
本発明は、爆発物について試験するための試験器を提供する。その試験器は、本体、その本体に操作可能に接続された側方の流動のスワブユニット、その本体に含有された爆発物を検出する試薬、並びに、その本体及びその側方のスワブユニットへ動作可能に接続されたディスペンサーを含む。そのディスペンサーは、その爆発物を検出する試薬が、その側方の流動のスワブユニットへ届けられることを、選択的に可能にする。一つの実施形態においては、その側方の流動のスワブユニットは、微孔性の膜のスワブを含む。その試験器の動作は、爆発物を検出する試薬がその側方の流動のスワブユニットへ届けられることを可能にするディスペンサーによって、開始する。そのスワブユニットは、試験されるものの表面にわたって、スワイプされる。いずれの不審な物質も、そのスワブの表面によって、取り上げられることになる。そのスワブの表面が、着色されたものになるとすれば、その試験は、爆発物について陽性のものである。
【０００８】
本発明の試験器は、広い範囲の爆発物の残留物の存在について急速なふるいを提供するために、単純な、化学的な、実地試験を提供する。その試験器は、速い、低いコストの、使用することが非常に簡単なものであると共に、非常に低い率の間違った陽性を提供する。その試験器は、速い、敏感な、低いコストの、不審に思われたパッケージを試験するためのシステムを実施することが非常に簡単なものを提供する。その試験器は、安価な且つ使い捨てのものである。ＨＭＸ、ＲＤＸ、ＮＧ、ＴＡＴＢ、テトリル、ＰＥＴＮ、ＴＮＴ、ＤＮＴ、ＴＮＢ、ＤＮＢ、及びＮＣのような、多数の一般的な軍事の及び産業上の爆発物を、簡単に検出することができる。その試験器は、それらの多くが、ポケット又はブリーフケースにおいてフィットすることができるほど十分に小さいものである。
【０００９】
本発明は、変更及び代替の形態を受け入れる余地があるものである。具体的な実施形態は、一例として示される。本発明が、開示された特定の形態に限定されるものではないことは、理解されることである。本発明は、特許請求の範囲によって定義されたような本発明の主旨及び範囲内に属する全ての変更、均等物、及び代替物をカバーする。
【発明を実施するための最良の形態】
【００１０】
本明細書へ組み込まれると共に本明細書の一部を構成する、付随する図面は、本発明の具体的な実施形態を図解すると共に、上に与えられた本発明の一般的な記載及びそれら具体的な実施形態の詳細な記載と一緒に、本発明の原理を説明することに役に立つ。
【００１１】
今、後に続く詳細な記載を及び組み込まれた素材を参照すると、本発明についての詳細な情報は、具体的な実施形態の記載を含むことで、提供される。詳細な記載は、本発明の原理を説明することに役に立つ。本発明は、開示された特定の形態に限定されるものではない。本発明は、特許請求の範囲によって定義されたような、本発明の主旨及び範囲内に属する全ての変更、均等物、及び代替物をカバーする。
【００１２】
実地における未知の爆発物を識別するための能力は、世界中で、軍隊、法的処置、及び祖国の治安部隊に対して最大限の重要性のものである。爆発物の識別についてのスポット試験の使用の多数の報告がされてきたのであるが、それらのいくつかは、以下に列挙される。それらは、薄層クロマトグラフィーとの組み合わせで、及び、法医学の分析において、使用されてきたものである。一つの出願人の提案に類似の爆発物の識別キットを生産してきたいくつかの商業的な会社（Ｍｉｓｔｒａｌ、Ｓｅｃｕｒｅｓｅａｒｃｈ、Ｄｕｒａｍの製品）がある。それらは、類似の色の試薬を組み込んできたものであると共に、軍事及び法的処置の機関によって使用されてきたものである。Ｅｘ−ｓｐｒａｙ及びＤｕｒａｍの製品は、多分、これまで生産された最良の商業的な試験のキットである。それらは、芳香族ニトロ化合物、ニトラミン類、硝酸アンモニウム、及び、最近では、塩素酸カリウムに基づいた爆発物の識別を許容する。それらのシステムは、スプレーキット又は溶液の滴のキットとして入手可能なものである。そのＤｕｒａｍの製品は、過酸化物の爆発物をもまた識別することになる。別の会社は、それが、ニトラミン類、酸化性物質、及び硝酸エステル類との接触にいたるとき、青色に変色するジフェニルアミン又はＷｕｒｓｔｅｒの塩のいずれかを組み込むスワブのキットを生産した。それは、使用することが簡単なものであるが、しかし、非特異的なものであると共に、顕著な数の間違った陽性を与えるであろう。
【００１３】
図面、並びに、特に図１及び図２を参照することで、本発明と一致して構築された試験器の実施形態は、図解される。本発明のこの実施形態は、一般に、符号１００によって表記される。図１は、分解組み立て図で試験器１００を示すと共に、図２は、組み立てられた構成で試験器１００を示す。試験器１００は、安価な且つ使い捨てのデバイスである。試験器１００を、ある表面が爆発物を含有するかどうかを決定するために、非技術者の人員によって、一次的なふるいにかける道具として、どこでも使用することができる。試験器１００は、爆発物の識別を可能にするために、開発された。この試験器は、第一の応答機、軍隊、法的処置、及び本土防衛によって使用されるものであることもある。
【００１４】
試験器１００は、小さい、使い捨ての、一回の使用のシステムを提供する。試験器１００は、動作の単純な且つ急速な方法を使用する。試験器１００の構造は、本体１０１を含む。本体１０１は、プラスチックのようなスクイーズ性の材料で作られる。爆発物を検出する試薬１０３を含有するアンプル１０２は、スクイーズ性の本体１０１内に位置させられる。本体１０１における出口は、後に記載されることになるように、爆発物を検出するために、爆発物を検出する試薬１０３が小出しされることを可能にする。側方の流動のスワブユニット１０５は、出口１０４において操作可能に位置決めされる。爆発物を検出する試薬１０３を含有するアンプル１０２は、破壊可能なアンプルであると共に、爆発物を検出する試薬１０３が側方の流動のスワブユニット１０５へ届けられることを選択的に可能にするためのディスペンサーとして作用する。
【００１５】
側方の流動のスワブユニット１０５は、アンプル１０２及び本体１０１からの爆発物を検出する試薬１０３の移行を提供する微孔性の膜の材料を含む。側方の流動の膜の材料は、他の分野におけるそれらの使用について、知られたものである。側方の流動の膜の材料は、ブロッティングの技術、酵素結合免疫吸着検定法（ＥＬＩＳＡ）の試験、及び、側方流動の免疫クロマトグラフィー法の試験としての使用について、知られたものである。側方の流動のスワブユニット１０５は、側方の流動の膜へと溶融されたポリエチレンの球体を含む。側方の流動のスワブユニット１０５は、Ｐｏｒｅｘ  Ｌａｔｅｒａｌ−Ｆｌｏ  Ｍｅｍｂｒａｎｅである。出願人は、実験的に、側方の流動のスワブユニット１０５の性質が、それを、試験機１００用の理想的なスワイプの材料にすることを決定した。側方の流動の膜１０５は、化学的な抵抗性のものであり、１３０℃と同程度に高い熱に抵抗し、耐久性のあるものであり、安価なものであり、いずれのサイズにも形成されることができ、且つ、溶媒先端を作る比色の検出限界に沿って不審な材料を濃縮する。側方の流動のスワブユニット１０５は、試料の収集物をスワイプする表面のエリア１０６を含む。
【００１６】
今図３を参照すると、側方の流動のスワブユニット１０５の詳細が、図解される。側方の流動のスワブユニット１０５は、そのアンプル及びその本体からの爆発物を検出する試薬の移行を提供する微孔性の膜の材料にされる。これは、側方の流動のスワブユニット１０５の外側の表面に沿って吸い上がる爆発物を検出する試薬を示す矢印１０７によって図解される。爆発物を検出する試薬は、側方の流動のスワブユニット１０５の外側の表面に沿って側方の流動のスワブユニット１０５の表面１０６へ吸い上がる。表面のエリア１０６は、試料の収集用のスワイプのエリアを提供する。側方の流動のスワブユニット１０５は、側方の流動の膜へと溶融されたポリエチレンの球体を含む。側方の流動のスワブユニット１０５は、Ｐｏｒｅｘ  Ｌａｔｅｒａｌ−Ｆｌｏ  Ｍｅｍｂｒａｎｅである。出願人は、側方の流動のスワブユニット１０５の性質が、それを、試験器１００用の理想的なスワイプの材料にすることを、実験的に決定した。側方の流動の膜１０５は、化学的な抵抗性のものであり、１３０℃と同程度に高い熱に抵抗し、耐久性のあるものであり、安価なものであり、いずれのサイズにも形成されることができ、且つ、溶媒先端を作る比色の検出限界に沿って不審な材料を濃縮する。
【００１７】
図４を参照すると、試験器１００の動作は、図解される。側方の流動のスワブユニット１０５のスワブの表面１０６は、その不審な物質へ露出される。これは、その不審な物質を含有する表面にわたってスワイプされるものであるスワブの表面１０６によって成し遂げられる。図４に図解されるように、スワブの表面１０６は、スーツケース１０８の表面にわたってスワイプされる。
【００１８】
試験器１００の動作は、スクイーズ性の本体１０１内に位置させられた爆発物を検出する試薬１０３を含有するアンプル１０２を破壊することによって、開始する。これは、本体１０１をスクイーズすること、及び、アンプル１０２を破壊することによって成し遂げられる。アンプル１０２は、爆発物を検出する試薬１０３が側方の流動のスワブユニット１０５及びスワブの表面１０６へ届けられることを可能にするディスペンサーとして作用する。スワブの表面１０６は、スーツケース１０８の表面にわたってスワイプされる。いずれの不審な物質も、スワブの表面１０６によって取り上げられることになる。スワブの表面１０６が、着色されたものになるとすれば、その試験は、爆発物について陽性のものである。
【００１９】
その試験器１００は、小さい、使い捨ての、一回の使用のシステムを提供する。試験器１００は、動作の単純な且つ急速な方法を使用する。試験器１００は、安価な且つ使い捨てのデバイスである。試験器１００を、ある表面が爆発物を含有するかどうかを決定するために、技術者でない人員によって、一次のふるいにかける道具として、どこでも使用することができる。試験器１００は、爆発物の識別を可能にする。この試験器を、第一の応答機、軍隊、法的処置、本土防衛、及び他のものによって使用することができる。
【００２０】
今図５を参照すると、本発明と一致して構築された試験器の別の実施形態が、図解される。本発明のこの実施形態は、一般に、符号５００によって表記される。試験器５００の構造は、本体５０１を含む。本体５０１は、プラスチックのようなスクイーズ性の材料で作られる。爆発物を検出する試薬５０３は、スクイーズ性の本体５０１内に位置させられる。破壊可能なバルブ５０２は、試験する動作が開始させられるまで、爆発物を検出する試薬５０３を所定の位置に保つ本体５０１を密封する。本体５０１における出口５０４は、後に記載されることになるように、爆発物を検出するために、爆発物を検出する試薬５０３が小出しされることを可能にする。側方の流動のスワブユニット５０５は、出口５０４において操作可能に位置決めされる。側方の流動のスワブユニット５０５は、アンプル５０２及び本体５０１からの爆発物を検出する試薬５０３の移行を提供する微孔性の膜の材料を含む。側方の流動のスワブユニット５０５は、試料の収集物をスワイプする表面のエリア５０６を含む。
【００２１】
試験器５００の動作は、本体５０１内に位置させられた爆発物を検出する試薬５０３を解放する破壊可能なバルブ５０２を破壊することによって、開始する。これは、本体５０１をスクイーズすること、及び、破壊可能なバルブ５０２を破壊することによって成し遂げられる。これは、爆発物を検出する試薬５０３が、側方の流動のスワブユニット５０５及びスワブの表面５０６へ届けられることを可能にする。スワブの表面５０６は、試験されるものであるエリアの表面にわたってスワイプされる。いずれの不審な物質も、スワブの表面５０６によって取り上げられることになる。スワブの表面５０６が、着色されたものになるとすれば、その試験は、爆発物について陽性のものである。
【００２２】
試験器５００は、小さい、使い捨ての、一回の使用のシステムを提供する。試験器５００は、動作の単純な且つ急速な方法を使用する。試験器５００は、安価な且つ使い捨てのデバイスである。試験器５００を、ある表面が爆発物を含有するかどうかを決定するために、技術者でない人員によって、一次的なふるいにかける道具として、どこでも使用することができる。試験器５００は、爆発物の識別を可能にするために、開発された。この試験器は、第一の応答機、軍隊、法的処置、及び本土防衛によって、使用されることもある。
【００２３】
今図６を参照すると、本発明と一致して構築された試験器のさらに別の実施形態が、図解される。本発明のこの実施形態は、一般に、符号６００によって表記される。試験器６００の構造は、本体６０１を含む。本体６０１は、プラスチックのようなスクイーズ性の材料で作られる。爆発物を検出する試薬６０３は、スクイーズ性の本体６０１内に位置させられる。バルブ６０２は、試験する動作が開始させられるまで、爆発物を検出する試薬６０３を所定の位置に保つ本体６０１を密封する。本体６０１における出口６０４は、後に記載されることになるように、爆発物を検出するために、爆発物を検出する試薬６０３が小出しされることを可能にする。側方の流動のスワブユニット６０５は、出口６０４において操作可能に位置決めされる。側方の流動のスワブユニット６０５は、アンプル６０２及び本体６０１からの爆発物を検出する試薬６０３の移行を提供する微孔性の膜の材料を含む。側方の流動のスワブユニット６０５は、試料の収集物をスワイプする表面のエリア６０６を含む。
【００２４】
試験器６００の動作は、本体６０１内に位置させられた爆発物を検出する試薬６０３を解放するバルブ６０２を開放することによって、開始する。これは、本体６０１をスクイーズすること、及び、それを開放するためのバルブ６０２を巧みに操作することによって成し遂げられる。単純なバルブは、周知なものであると共にバルブ５０２について使用されることもある。バルブ５０５を開放することは、爆発物を検出する試薬６０３が、側方の流動のスワブユニット６０５及びスワブの表面６０６へ届けられることを可能にする。スワブの表面６０６は、試験されるものであるエリアの表面にわたってスワイプされる。いずれの不審な物質も、スワブの表面６０６によって取り上げられることになる。スワブの表面６０６が、着色されたものになるとすれば、その試験は、爆発物について陽性のものである。
【００２５】
試験器６００は、小さい、使い捨ての、一回の使用のシステムを提供する。試験器６００は、動作の単純な且つ急速な方法を使用する。試験器６００は、安価な且つ使い捨てのデバイスである。試験器６００を、ある表面が爆発物を含有するかどうかを決定するために、技術者でない人員によって、一次的なふるいにかける道具として、どこでも使用することができる。試験器６００は、爆発物の識別を可能にするために、開発された。この試験器は、第一の応答機、軍隊、法的処置、及び本土防衛によって、使用されるものであることもある。
【００２６】
今図７を参照することで、側方の流動のスワブユニットの別の実施形態の詳細が、図解される。側方の流動のスワブユニットのこの実施形態は、符号７０１によって表記される。側方の流動のスワブユニット７０１は、側方の流動の膜へと溶融されたポリエチレンの球体を含む。側方の流動のスワブユニット７０１は、Ｐｏｒｅｘ  Ｌａｔｅｒａｌ−Ｆｌｏ  Ｍｅｍｂｒａｎｅである。出願人は、側方の流動のスワブユニット７０１の性質が、それを、その試験器用の理想的なスワイプの材料にすることを、実験的に決定した。側方の流動の膜７０１は、化学的な抵抗性のものであり、１３０℃と同程度に高い熱に抵抗し、耐久性のあるものであり、安価なものであり、いずれのサイズにも形成されることができ、且つ、溶媒先端を作る比色の検出限界に沿って不審な材料を濃縮する。
【００２７】
側方の流動のスワブユニット７０１は、その本体からの爆発物を検出する試薬の移行を提供する。これは、側方の流動のスワブユニット７０１の外側の表面に沿って吸い上がる爆発物を検出する試薬を示す矢印７０３によって図解される。その爆発物を検出する試薬は、側方の流動のスワブユニット７０１の外側の表面に沿って、側方の流動のスワブユニット７０１の表面７０２まで吸い上がる。その表面のエリア７０２は、試料の収集用のスワイプのエリアを提供する。矢印７０４によって図解されたような表面７０２へ吸い上がる爆発物を検出する試薬が、示される。その爆発物を検出する試薬は、側方の流動のスワブユニットの表面７０２まで届けられる。そのスワブの表面７０２は、試験されるものであるエリアの表面にわたってスワイプされる。いずれの不審な物質も、スワブの表面７０２によって取り上げられることになる。いずれの不審な物体も、その試験器の検出の性能を改善する７０５で図解されたように濃縮される。スワブの表面７０２が、着色されたものになるとすれば、その試験は、爆発物について陽性のものである。
【００２８】
今図８及び図９を参照することで、爆発物をふるいにかけるための比色の試験の二つが、図解されることになる。図８及び９に図解された比色の化学物質は、図７におけるＭｅｉｓｅｎｈｅｉｍｅｒ錯体及び図８におけるＧｒｉｅｓｓ試薬を組み込む。その比色の化学物質は、Ｍｅｉｓｅｎｈｅｉｍｅｒ錯体、Ｇｒｉｅｓｓ試薬、Ｎｅｓｓｌｅｒの試薬、及びチモール反応を組み込むが、しかし、それらに限定されるものではない。爆発物についての試験に使用された化学物質は、下記のようなものである：。
【００２９】
１）Ｍｅｉｓｅｎｈｅｉｍｅｒ錯体の溶液は、エタノールにおけるテトラブチルアンモニウム＝ヒドロキシドであると共にＴＮＴ、テトリル、及びトリニトロベンゼンについての色の指標を与える。
【００３０】
２）濃Ｈ２ＳＯ４におけるジフェニルアミン（ＤＰＡ）は、ニトラミン類、硝酸エステル、及びＴＡＴＰ、並びに他の酸化性物質（ＮＧ、ＰＥＴＮ、ＴＡＴＰ、ＲＤＸ、ＮＱ、ＡＮ）についての色の指標を与える。
【００３１】
３）Ｎｅｓｓｌｅｒの試薬は、水性のカリウム及び水酸化ヨウ化カリウムにおいて、典型的にはおよそ１．４％の、ヨウ化水銀（ＩＩ）の溶液であると共に、アンモニウムの陽イオン（ＡＮ）について特異的なものである。
【００３２】
４）濃Ｈ２ＳＯ４におけるチモールは、大部分の硝酸エステルについて緑色を与える。ＲＤＸ及びＨＭＸは、赤色の色を与える。
【００３３】
本発明が、様々な変更及び代替の形態を受け入れる余地があるものであることもある一方で、具体的な実施形態が、図面において例として示されてきたと共にここにおいて詳細に記載されてきた。しかしながら、本発明が、開示された特定の形態に限定されることが、意図されたものではないことは、理解されるはずである。むしろ、本発明は、下記の添付された特許請求の範囲によって定義されるような、本発明の主旨及び範囲内に属する全ての変更、均等物、及び代替物をカバーするものである。
【００３４】
米国政府は、Ｌａｗｒｅｎｃｅ  Ｌｉｖｅｒｍｏｒｅ  Ｎａｔｉｏｎａｌ  Ｌａｂｏｒａｔｏｒｙの事業について、米国エネルギー省とカリフォルニア大学との間の契約番号Ｗ−７４０５−ＥＮＧ−４８に拠った、この発明における権利を有する。
【００３５】
この出願は、“Ｃｏｌｏｒｉｍｅｔｒｉｃ  Ｃｈｅｍｉｃａｌ  Ａｎａｌｙｓｉｓ  Ｓａｍｐｌｅｒ  ｆｏｒ  ｔｈｅ  Ｐｒｅｓｅｎｃｅ  ｏｆ  Ｅｘｐｌｏｓｉｖｅｓ”と題された、Ｐｅｔｅｒ  Ｊ．Ｎｕｎｅｓ、Ｊｏｅｌ  Ｄｅｌ  Ｅｃｋｅｌｓ、Ｊｏｈｎ  Ｇ．Ｒｅｙｎｏｌｄｓ、Ｐｈｉｌｉｐｓ  Ｆ．Ｐａｇｏｒｉａ、及びＲａｎｄａｌｌ  Ｌ．Ｓｉｍｐｓｏｎによって２００４年１１月１７日に出願された米国仮特許出願第６０／６２９，０５７号の利益を請求する。“Ｃｏｌｏｒｉｍｔｒｉｃ  Ｃｈｅｍｉｃａｌ  Ａｎａｌｙｓｉｓ  Ｓａｍｐｌｅｒ  ｆｏｒ  ｔｈｅ  Ｐｒｅｓｅｎｃｅ  ｏｆ  Ｅｘｐｌｏｓｉｖｅｓ”と題された２００４年１１月１７日に出願された米国仮特許出願第６０／６２９，０５７号は、ここにおいては、この参照によって組み込まれる。
【図面の簡単な説明】
【００３６】
【図１】図１は、本発明の試験器の実施形態を図解する。
【図２】図２は、その試験器の別の図である。
【図３】図３は、その試験器の詳細を示す。
【図４】図４は、その試験器の動作を示す。
【図５】図５は、本発明と一致して構築された試験器の別の実施形態を示す。
【図６】図６は、依然として、本発明と一致して構築された試験器の別の実施形態を示す。
【図７】図７は、その試験器の詳細を示す。
【図８】図８は、Ｍｅｉｓｅｎｈｅｉｍｅｒ錯体を図解する。
【図９】図９は、Ｇｒｉｅｓｓ試薬の反応を図解する。
【図１】
2008521019.tif 000003
【図２】
2008521019.tif 000004
【図３】
2008521019.tif 000005
【図４】
2008521019.tif 000006
【図５】
2008521019.tif 000007
【図６】
2008521019.tif 000008
【図７】
2008521019.tif 000009
【図８】
2008521019.tif 000010
【図９】
2008521019.tif 000011
【国際調査報告】
2008521019.tif 000012
2008521019.tif 000013
2008521019.tif 000014